(57)【特許請求の範囲】
【請求項１】
コピー実行ボタンを有する操作部と、
画像データを被記録媒体に記録する記録部と、
装置本体に一体的に形成され、前記装置本体にセットされた原稿上の画像情報を読み取る第１読取部と、
原稿上の画像情報を読み取る第２読取部と、前記第２読取部により読み取られた画像データが記憶される記憶装置と、を有する画像読取装置に対して、画像データ通信用コード材を介して接続可能な接続部と、
前記第１読取部によって読み取られる原稿が存在するか否かを検出する第１検出部と、
前記画像データ通信用コード材が前記接続部と前記画像読取装置間に接続されているか否かを検出する第２検出部と、
前記コピー実行ボタンの操作が行われ、且つ、前記第１検出部が原稿を検出した場合、前記第１読取部により、セットされた原稿上の画像情報を読み取るとともに、前記記録部によって、当該画像情報を前記被記録媒体に記録させるコピー動作手段と、
前記コピー実行ボタンの操作が行われ、且つ、前記第１検出部が原稿を検出しなかった場合、前記第２検出部により、画像データ通信用コード材が前記接続部と前記画像読取装置間に接続されているか否かを検出制御手段と、
前記第２検出部が前記画像データ通信用コード材の接続を検出することを条件に、前記画像読取装置の記憶装置内に画像データが存在するか否かを判別する判別手段と、
前記判別手段が前記記憶装置内に画像データが存在すると判別した場合、前記通信用コード材を介して、前記記憶装置内に存在する画像データを取り込む制御部と、を備えることを特徴とする画像記録装置。
【請求項２】
請求項１記載の画像記録装置において、
表示手段を備え、
前記制御部は、
前記画像データ通信用コード材を介して、前記画像読取装置の記憶装置から画像データを取り込む前に、
前記表示手段に、
当該画像データを構成する全ての頁を被記録媒体に記録することを示す全頁記録表示と、当該画像データを構成する頁の内、特定の頁を被記録媒体に記録することを示す特定頁記録表示と、を表示し、
前記操作部における前記全頁記録表示又は前記特定頁記録表示に対する選択操作を受け付けることを特徴とする画像記録装置。
【請求項３】
請求項２記載の画像記録装置において、
前記制御部は、
前記通信用コード材を介して、前記画像読取装置の記憶装置から画像データを取り込む際に、
前記操作部に対する選択操作により、全頁記録表示が選択された場合には、前記画像読取装置の記憶装置から、当該画像データを構成する全ての頁のデータを取り込み、
前記操作部に対する選択操作により、特定頁記録表示が選択された場合には、前記画像読取装置の記憶装置から、当該画像データを構成する頁の内、特定の頁のデータを取り込むことを特徴とする画像記録装置。
【発明の詳細な説明】
【０００１】
【発明の属する技術分野】
本発明は、画像データ通信用コード材を介して受信した画像データを、記録部が被記録媒体に記録することができる画像記録装置及びこの画像記録装置に接続可能な画像読取装置に関し、特に、この画像読取装置が読み取った画像データを前記通信用コード材を介して受信して、例えばコピー機能、プリンタ機能等の各種の機能を備えた画像記録装置の記録部が、その画像データを記録することができる画像記録装置及びこの画像記録装置に接続可能な画像読取装置に関するものである。
【０００２】
【従来の技術】
従来より、読み取り機能、コピー機能、ファクシミリ機能、プリンタ機能等の各種の機能を１つの装置に搭載し、１台の装置でそれぞれの機能を行い得る、マルチ・ファンクション・デバイスと呼ばれる画像記録装置が種々提案されている。
【０００３】
その画像記録装置の中には、画像記録装置とは別体のハンディタイプの読取装置（一般的にはハンドスキャナーと称されるもので、図５にその１例を示す）を、ハンディスキャナー用コードを介して接続できるものがある。このハンディタイプの読取装置Ｍ０は、例えば、雑誌、ノート、書籍等の綴じ込み原稿の画像情報を容易に読み取って、その画像データをハンディスキャナー用コードＭ３を介して画像記録装置に送信することができるため、画像データを受信した画像記録装置は、画像データを記録用紙上にプリントアウトしたり、ファクシミリ送信したりすることができる。
【０００４】
【発明が解決しようとする課題】
しかしながら、図５に示される読取装置Ｍ０にあっては、その操作パネルＭ１上のモード設定用のスイッチＭ２を、所定位置にスライドさせて読取モードＭ２ａに設定した状態で、前記スイッチＭ２の側方のスタート／ストップ・スイッチＭ４を押下して、読取装置Ｍ０を前記綴じ込み原稿上で走行させながら画像情報を読み取る。その後、上記画像記録装置と読取装置Ｍ０とをハンディスキャナー用コードＭ３で接続した状態で、モード設定用スイッチＭ２を読取モードＭ２ａから出力モードＭ２ｂにスライドさせ、再びスタート／ストップ・スイッチＭ４を押下しなければ、記録用紙上にプリントアウトすることができず、煩雑な手間を要していた。
【０００５】
本発明は、前記従来の問題点を解消するためになされたものであり、画像データ通信用コード材を介して受信した画像記録装置の記録部が画像データを被記録媒体に記録する際に、その操作手順を簡易化することができる画像記録装置及びこの画像記録装置に接続可能な画像読取装置を提供することを目的とする。
【０００６】
【課題を解決するための手段】
前記目的を達成するため請求項１に係る画像記録装置は、コピー実行ボタンを有する操作部と、画像データを被記録媒体に記録する記録部と、装置本体に一体的に形成され、前記装置本体にセットされた原稿上の画像情報を読み取る第１読取部と、原稿上の画像情報を読み取る第２読取部と、前記第２読取部により読み取られた画像データが記憶される記憶装置と、を有する画像読取装置に対して、画像データ通信用コード材を介して接続可能な接続部と、前記第１読取部によって読み取られる原稿が存在するか否かを検出する第１検出部と、前記画像データ通信用コード材が前記接続部と前記画像読取装置間に接続されているか否かを検出する第２検出部と、前記コピー実行ボタンの操作が行われ、且つ、前記第１検出部が原稿を検出した場合、前記第１読取部により、セットされた原稿上の画像情報を読み取るとともに、前記記録部によって、当該画像情報を前記被記録媒体に記録させるコピー動作手段と、前記コピー実行ボタンの操作が行われ、且つ、前記第１検出部が原稿を検出しなかった場合、前記第２検出部により、画像データ通信用コード材が前記接続部と前記画像読取装置間に接続されているか否かを検出制御手段と、前記第２検出部が前記画像データ通信用コード材の接続を検出することを条件に、前記画像読取装置の記憶装置内に画像データが存在するか否かを判別する判別手段と、前記判別手段が前記記憶装置内に画像データが存在すると判別した場合、前記通信用コード材を介して、前記記憶装置内に存在する画像データを取り込む制御部と、を備えることを特徴とする。
このように画像読取装置及び前記画像記録装置を画像データ通信用コード材で接続した状態で、画像記録装置のコピー実行ボタンに対して操作を行えば、その操作に基づいて、画像読取装置内の画像データを取り込むことができる。それにより、図５に示される従来の読取装置Ｍ０を用いる場合に必要であった煩雑な手間が解消し、操作手順は簡易になる。また、画像記録装置側の操作のみで、画像読取装置に記憶されている画像データを取り込み、当該画像データの記録を行うことができるため、使い勝手が向上する。
又、このような画像記録装置では、画像データ通信用コード材を介して取得した画像データを記録部が記録することができる他に、第１読取部が読み取った画像データを記録部が記録するコピー動作を実行することができるので、記録部はいずれの画像データも記録することができる。そして、第１検出部が原稿を検出した場合、セットされた原稿上の画像情報を前記第１読取部が読み取るとともに、前記記録部がその画像データを前記被記録媒体に記録させるモードを優先させる。従って、仮に、画像読取装置及び前記画像記録装置間を画像データ通信用コード材で接続した状態を放置しても、利用者が原稿をセットすれば、優先的に前記コピー動作を実行することができ、使い勝手が良くなる。
そして、装置上に原稿がセットされていなければ、画像読取装置からの画像データの取り込み及び記録が実行されるので、上記のコピー動作を実行させる場合とで操作部を共通化することができ、装置全体としての操作部のキーの数を減らすことができる。
【０００７】
また、請求項２に係る画像記録装置は、請求項１記載の画像記録装置において、表示手段を備え、前記制御部は、前記画像データ通信用コード材を介して、前記画像読取装置の記憶装置から画像データを取り込む前に、前記表示手段に、当該画像データを構成する全ての頁を被記録媒体に記録することを示す全頁記録表示と、当該画像データを構成する頁の内、特定の頁を被記録媒体に記録することを示す特定頁記録表示と、を表示し、前記操作部における前記全頁記録表示又は前記特定頁記録表示に対する選択操作を受け付けることを特徴とする。
【０００８】
また、請求項３に係る画像記録装置は、請求項２記載の画像記録装置において、前記制御部は、前記通信用コード材を介して、前記画像読取装置の記憶装置から画像データを取り込む際に、前記操作部に対する選択操作により、全頁記録表示が選択された場合には、前記画像読取装置の記憶装置から、当該画像データを構成する全ての頁のデータを取り込み、前記操作部に対する選択操作により、特定頁記録表示が選択された場合には、前記画像読取装置の記憶装置から、当該画像データを構成する頁の内、特定の頁のデータを取り込むことを特徴とする。
【０００９】
【００１０】
【００１１】
【００１２】
【００１３】
【発明の実施の形態】
以下、本発明に係る画像記録装置及びこの画像記録装置に接続可能な画像読取装置について図面を参照しつつ詳細に説明する。先ず、本実施形態に係る画像記録装置の概略構成について図１に基づき説明する。図１は画像記録装置及びこの画像記録装置に接続可能な画像読取装置の斜視図である。尚、画像記録装置１は、読取機能、ファクシミリ機能、コピー機能、プリンタ機能、電話機能その他の各種の機能を有している他に、画像記録装置１とは別体の画像読取装置としてのハンドスキャナー２に対して、画像データ通信用コード材としての通信用コードＫ１を介して接続することができる。
図１において、画像記録装置１は装置本体１ａを備えており、かかる装置本体１ａの上面には、各種のボタンが配列された操作パネル３が前方側に配設され、また、読み取り用の原稿をセットするための原稿載置部４が中央部に配設されている。更に、装置本体１ａの上面後方側には、被記録媒体としての記録用紙を積層状態で収納する用紙カセット（図示せず）を挿嵌するための、カセット挿嵌部５が配設されている。
ここに、操作パネル１ａには、その上側に液晶（ＬＣＤ）ディスプレイ６が配置されており、この液晶ディスプレイ６は、各種のメッセージ、例えば、ファクシミリ機能の実行時における電話番号、コピー機能や、前記ハンドスキャナー２によって読み取られた画像データのプリンタ実行時における操作指令メッセージ、その他各機能の必要に応じたメッセージを表示する。
【００１４】
また、その液晶ディスプレイ６の下側（図１中、左側）には、「０」乃至「９」の数値ボタン７等が配置されており、これら数値ボタン７は、ファクシミリ機能時に電話番号を入力したり、コピー機能実行におけるコピー枚数等を入力するボタンである。
また、操作パネル３内の右下方側には、操作部としてのコピー実行ボタン８等が配置されており、このコピー実行ボタン８は、コピー機能実行時や、ハンドスキャナー２によって読み取られた画像データのプリント機能実行時に押下される。尚、そのコピー実行ボタン８の詳細については後述する。
また、原稿載置部４は、ファクシミリ送信時に相手方に送信するための原稿や、コピー用の原稿を載置する部分であり、この原稿載置部４に置かれた原稿は、原稿載置部４から装置本体１ａ内部に搬送されるとともに、画像読取部２１（図２参照）によってその画像情報が画像データとして読み取られる。この後、原稿は、装置本体１ａの前面側に設けられた原稿排出部９に排出される。そして、前記画像読取部２１を介して読み取られた画像データは、記録部としてのインクジェットプリンタ部３７（図２参照）を介して、カセット挿嵌部５内に挿嵌された用紙カセットから送給される記録用紙上に記録される。このように画像データが記録された後の記録用紙は、前記原稿排出部９の下側に設けられた記録用紙排出部１０上に排出される。
【００１５】
また、前記原稿載置部４には、原稿が存在するか否かを検出するための第１検出部としての原稿センサ３８（図２参照）が配置されている。この原稿センサ３８は、例えば、原稿の先端により回動されるフォトインタラプタとフォトカップラとから構成され、フォトインタラプタによる遮光または透光のいずれかをフォトカップラが検出することにより、原稿の有無を検出できる。
更に、装置本体１ａの前面部の右側下面には、ハンドスキャナー２用の通信用コードＫ１の片側端部Ｋ２を差し込むための、接続部としての入力端子部１１が配設されている。そして、入力端子部１１内に前記通信用コードＫ１の片側端部Ｋ２が挿入され、また、ハンドスキャナー２の差込口２ａ内に、通信用コードＫ１の反対側端部Ｋ３が挿入された状態で、ハンドスキャナー２内のメモリとしてのＲＡＭ４６（図２参照）から画像データを画像記録装置１内に取り込むことができるようになっている。
そのハンドスキャナー２は、雑誌、ノート、書籍等の綴じ込み原稿の画像情報を読み取れるように、ハンドスキャナー２自体を利用者がその原稿上を一定速度で走行させながら、原稿の画像情報を読み取るものである。この場合、ハンドスキャナー２の上面には、図３に示されるように、操作スイッチ２ｂが設けられている他に、このスイッチ２ｂの側方のスタート／ストップ・スイッチ２ｃが設けられている。そのため、操作スイッチ２ｂを読取モードＭ２ａに設定した状態で、スタート／ストップ・スイッチ２ｃを押し下げ、ハンドスキャナー２を前記綴じ込み原稿上で走行させながら画像情報を読み取ることができる。尚、操作スイッチ２ｂを消去モードＭ２ｃ設定した場合は、ハンドスキャナー２内のＲＡＭ４６の画像データを消去することができる。
【００１６】
次に、前記のように構成された画像記録装置１の制御系について、図２に基づいて説明する。図２は画像記録装置１及びハンドスキャナー２の制御系を示すブロック図である。図２において、画像記録装置１は、基本的に、ファクシミリ部２０とプリンタ部３０とから構成されている。このファクシミリ部２０とプリンタ部３０との間は、インターフェース３９により相互に信号やデータの伝送が可能となっている。
ファクシミリ部２０は、ファクシミリ制御回路２３、読取部としての画像読取部２１、モデム２２、ＮＣＵ（網制御装置）２４、復号器符号器２５、制御部としてのＣＰＵ２６、ＲＯＭ２７、ＲＡＭ２８等からなる。ここに、ファクシミリ制御回路２３は、ファクシミリ送信を実現するために、原稿上の画像情報を読み取ることができる画像読取部２１等の制御を行う。モデム２２はＮＣＵ２４や電話回線Ｌ等によるネットワークを介して相手方のファクシミリ２９との間で画像データの送受信を行う。そのＮＣＵ２４は、電話網に対してダイアル信号を送出したり、或いは、電話網からの呼出信号に応答する等の動作を行う装置である。復号器符号器２５は、画像読取部２１またはハンドスキャナー２によって読み取られた画像データを相手方ファクシミリ２９へ送信するために符号化したり、相手方ファクシミリ２９から送られた符号化された受信データを記録するために復号化したりする。
また、ＲＯＭ２７は、コピー機能またはハンドスキャナー２によって読み取られた画像データのプリント機能を選択する際の実行プログラム（以下選択実行プログラムともいう）、その他ファクシミリ部２０の制御上必要な各種のプログラム等を格納するメモリである。また、ＲＡＭ２８は、相手方のファクシミリ２９からの受信データ、画像読取部２１によって読取られた画像データ及びＣＰＵ２６を介して演算された各種データ等を一時的に記憶するメモリである。
そして、ＣＰＵ２６は、ＲＯＭ２７に格納されている選択実行プログラムに従って、コピー機能またはハンドスキャナー２によって読み取られた画像データのプリント機能のいずれかを選択的に制御したり、また、ＲＯＭ２７に格納された他のファクシミリ装置の各種機能を達成するにつき必要な各種のプログラム等を実行し、ファクシミリ部２０全体の制御を行う。尚、ファクシミリ制御回路２３には、前記操作パネル３、及び原稿センサ３８が接続されている。
【００１７】
また、プリンタ部３０は、図２に示されるように、プリンタ制御回路３１、文字発生回路（ＣＧ）３２、入出力回路（Ｉ／Ｏ）３３、ＣＰＵ３４、ＲＯＭ３５、ＲＡＭ３６、インクジェットプリンタ部３７からなる。尚、コピー機能は、ファクシミリ部２０とプリンタ部３０との協働によって実現される。
ここに、プリンタ制御回路３１は、プリンタ機能を実現するためにインクジェットプリンタ部３７等を制御する。文字発生回路３２は、パーソナルコンピュータ４０から送られてきたコードデータを記録用紙に記録するためのイメージデータに変換する回路である。例えば、通信データに含まれるコードデータが「Ａ」である場合には、その「Ａ」の画像が記録用紙に形成されるように、「Ａ」のコードデータをイメージデータに変換する。入出力回路３３はケーブル４１を介してパーソナルコンピュータ（Ｐ／Ｃ）４０との間で通信データの送受信を行う。ＣＰＵ３４は、ＲＯＭ３５に格納されているプリンタ制御プログラムに従ってプリンタ部３０を制御し、その制御時に演算された各種データはＲＡＭ３６に一時的に記憶される。また、ＲＡＭ３６には、パーソナルコンピュータ４０から送られるデータまたはハンドスキャナー２から送られる画像データが記憶される。記録部としてのインクジェットプリンタ部３７は、インクジェットヘッドに形成されたインク吐出口から選択的にインク滴を記録用紙上に吐出して文字等を記録するものである。
また、インターフェース３９と接続される入力端子部１１は、前記したようにハンドスキャナー２から画像データの入力を行うものであり、入力端子部１１内に前記通信用コードＫ１の片側端部Ｋ２が挿入され且つハンドスキャナー２の差込口２ａ内に通信用コードＫ１の反対側端部Ｋ３が挿入された状態で、ＣＰＵ２６は第２検出部としての入力端子部１１からの信号を検出することにより、ハンドスキャナー２との接続を認識する。
【００１８】
そのハンドスキャナー２は、図２に示されるように、スイッチ２ｂ、２ｃの他に、入出力回路（Ｉ／Ｏ）４３、制御部としてのＣＰＵ４４、ＲＯＭ４５、記憶部としてのＲＡＭ（例えば、不揮発性メモり）４６、エンコーダ４７、読取部４８等を有している。そして、読取部４８が原稿上の画像情報を読み取るに当たって、エンコーダ４７から同期信号が入力されるので、利用者がハンドスキャナー２をつかみながら原稿上を走行させるにも関わらず、鮮明に画像情報を読み取ることができる。
そして、ＲＯＭ４５に格納されたプログラムに基づいて、ＣＰＵ４４が動作する場合、例えば、入出力回路（Ｉ／Ｏ）４３を介して、ＲＡＭ４６に記憶された画像データを画像記録装置１側に送出することができる。具体的には、ハンドスキャナー２及び画像記録装置１間を通信用コードＫ１で接続した状態で、画像記録装置１のコピー実行ボタン８が押下されることにより、ファクシミリ制御回路２３、インターフェース３９、入力端子部１１、前記通信用コードＫ１及び入出力回路（Ｉ／Ｏ）４３を介して、ＣＰＵ２６によって送出された信号をＣＰＵ４４が受けることができる。そして、その信号を受けたＣＰＵ４４は、操作スイッチ２ｂを読取モードＭ２ａに設定した状態であっても、前記読取部４８が読み取った画像データを、前記入出力回路（Ｉ／Ｏ）４３、前記通信用コードＫ１、入力端子部１１、インターフェース３９及びプリンタ制御回路３１を介してＣＰＵ３４に送信したり、あるいは、前記入出力回路（Ｉ／Ｏ）４３、前記通信用コードＫ１、入力端子部１１、インターフェース３９及びファクシミリ制御回路２３を介してＣＰＵ２６に送信することができる。
従って、ＣＰＵ３４は、前記通信用コードＫ１を介してハンドスキャナー２から送信された画像データをＲＡＭ３６に記憶し、画像記録装置１のインクジェットプリンタ部３７により記録用紙に記録させることができる。つまり、ハンドスキャナー２で読み取った画像データは、画像記録装置１のコピー実行ボタン８を押下することで、画像記録装置１内に取り込むことができ、図５に示されるモード設定用のスイッチＭ２を読取モードＭ２ａから出力モードＭ２ｂにスライドさせる手間が無くなるので、操作手順は極めて簡易なものとなる。そして、図５に示されるスイッチＭ２は、「出力」Ｍ２ｂ、「読取」Ｍ２ａ、「消去」の３ポジション必要であったが、図３に示されるスイッチ２ｂは、「読取」Ｍ２ａ、「消去」Ｍ２ｃの２ポジションで済むため、この実施の形態の場合、安価なスイッチを使用できる。
また、従来のように「出力」、「読取」及び「消去」の３ポジションのスイッチの場合、「読取」から「出力」に切り替えるつもりが誤って「消去」に切り替え、せっかく読み取った画像データを安易に消去してしまうおそれがあるが、本実施形態によれば、画像を読み取ってからのスイッチの切り替え動作が不要なので、このようなミスを確実に防止することができる。
【００１９】
続いて、前記のように構成された画像記録装置１及びハンドスキャナー２において行われる、前記選択実行プログラムについて図４に基づき説明する。図４はそのプログラムのフローチャートである。
図４において、ステップ（以下、Ｓと略記する）１にて、コピー実行ボタン８が、押下されたか否かを判断する。コピー実行ボタン８が、押下されていない場合（Ｓ１：ＮＯ）、コピー実行ボタン８が、押下されるまで待機する。コピー実行ボタン８が押下された場合（Ｓ１：ＹＥＳ）、次に、原稿載置部４に原稿が存在するか否かを検出する（Ｓ２）。かかる原稿の検出は、前記原稿センサ３８からの検出信号があるか否かに基づいて行われる。そして、Ｓ２にて原稿が存在すると判断された場合（Ｓ２：ＹＥＳ）には、コピー機能が実行される（Ｓ３）。具体的には、原稿載置部４に載置された原稿が原稿排出部９に向かって搬送されるとともに、画像読取部２１を介して画像データが読み取られる。また、その読み取られた画像データがファクシミリ部２０からプリンタ部３０に送出され、インクジェットプリンタ部３７は用紙カセットから送られた記録用紙上に画像データを記録するコピー動作を行う。
そのコピー動作が終了すると、記録済用紙が記録用紙排出部１０に排出される。尚、Ｓ３を実行するＣＰＵ２６、３４が本発明のコピー動作手段を構成する。そして、原稿センサ３８（第１検出部）が原稿を検出した場合、仮に通信用コードＫ１が画像記録装置１とハンドスキャナー２との間で接続状態であっても、セットされた原稿上の画像情報を前記画像読取部２１が読み取るとともに、前記インクジェットプリンタ部３７がその画像データを前記記録用紙に記録させるコピー動作モードを優先させる。従って、両装置間を通信用コードＫ１で接続した状態を放置しても、利用者が原稿をセットすれば、コピー動作を実行することができて使い勝手が良くなる。
【００２０】
また、Ｓ２にて原稿が存在しないと判断された場合（Ｓ２：ＮＯ）、通信用コードＫ１が画像記録装置１とハンドスキャナー２との間に接続されているか否かを判断する（Ｓ４）。Ｓ４にてＮＯの場合、すなわち、コピー実行ボタン８が押下された状態で、原稿載置部４に原稿が存在せず、且つ、通信用コードＫ１が画像記録装置１とハンドスキャナー２との間に接続されていない場合、原稿無しのエラー処理が行われる（Ｓ５）。そのため、例えば「原稿載置部４に原稿が存在しない」旨が液晶ディスプレイ６に表示されることにより、利用者は操作が間違っていたことを容易に認識することができる。このＳ５を実行するＣＰＵ２６は、本発明のエラー処理手段を構成する。
Ｓ４にてＹＥＳの場合、ハンドスキャナー２内のＲＡＭ４６に、画像データが記憶されているか否かが判別される（Ｓ６）。Ｓ６にてＮＯの場合、すなわち、ＲＡＭ４６に画像データが存在しないと判別した場合、前記インクジェットプリンタ部３７は、画像データを記録用紙に記録することができず、エラー処理を行う（Ｓ７）。このエラー処理としては、例えば「ハンドスキャナー２内に画像データが存在しない」旨を液晶ディスプレイ６に表示する。従って、利用者は装置の使用方法が誤っていたことを容易に認識することができる。このＳ６、Ｓ７を実行するＣＰＵ２６が本発明の判別手段、エラー処理手段をそれぞれ構成する。
【００２１】
そして、Ｓ６にてＹＥＳの場合、すなわち、ＲＡＭ４６に画像データが存在すると判別した場合、その旨が液晶ディスプレイ６に表示される（Ｓ８）。その後、ＲＡＭ４６内の全画像データを記録するか否かを判断する（Ｓ９）。
この場合、操作パネル３内に設けられた「→」及び「←」キー８ａ等を押下することで、液晶ディスプレイ６には「特定頁記録」及び「全頁記録」等が順番に変更されるので、「全頁記録」の表示後に、利用者がコピー実行ボタン８を再度押下すると（Ｓ９：ＹＥＳ）、ＲＡＭ４６内の全画像データを記録用紙に記録する。具体的には、ＲＡＭ４６内から送られた全画像データが、入出力回路（Ｉ／Ｏ）４３、インターフェース３９、プリンタ制御回路３１を介して、プリンタ部３０のＣＰＵ３４に送出される。そのため、ＣＰＵ３４の制御の下に、画像データはＲＡＭ３６に記憶されインクジェットプリンタ部３７が、用紙カセットから送られた記録用紙上に全画像データを記録する（Ｓ１０）。
Ｓ９にてＮＯの場合、すなわち、ＲＡＭ４６内の特定頁の画像データを記録用紙に記録するか否かを判断する（Ｓ１１）。この場合、操作パネル３上の前記「→」及び「←」キー８ａを押下した場合、液晶ディスプレイ６の「特定頁記録」、「全頁記録」が順番に変更されるので、「特定頁記録」の表示後に、利用者がコピー実行ボタン８を再度押下すると（Ｓ１１にてＹＥＳ）、特定頁の画像データを記録用紙に記録する（Ｓ１２）。
【００２２】
この場合、ＲＡＭ４６内から特定頁の画像データが、入出力回路（Ｉ／Ｏ）４３、インターフェース３９を介してプリンタ部３０に送出され、インクジェットプリンタ部３７は、用紙カセットから送られた記録用紙上に画像データを記録する。また、Ｓ１１にてＮＯの場合、そのまま終了する。
尚、原稿載置部４に原稿が存在する場合としては、ファクシミリ送信を実行する場合が考えられるが、この場合には、前記コピー機能表示とファクシミリ送信表示（例えば、ファクシミリ番号の入力を促す表示）とを所定時間毎に切り換えながら液晶ディスプレイ６に表示するように構成すればよい。
【００２３】
以上詳述した如く、本実施の形態の画像記録装置の発明によれば、コピー実行ボタン８（操作部）に対して押下操作が行われることによって、画像データをインクジェットプリンタ部３７（記録部）が記録用紙（被記録媒体）に記録する画像記録装置１において、画像情報を読み取ることができるハンドスキャナー２（画像読取装置）に対して、画像データ通信用コードＫ１（画像データ通信用コード材）を介して接続可能な入力端子部１１（接続部）と、この入力端子部１１（接続部）を用いて前記ハンドスキャナー２（画像読取装置）及び前記画像記録装置１を前記通信用コードＫ１（画像データ通信用コード材）で接続した状態で、前記画像記録装置１のコピー実行ボタン８（操作部）に対する押下操作に基づいて、前記通信用コードＫ１を介してハンドスキャナー２（画像読取装置）から送信された画像データを、前記インクジェットプリンタ部３７（記録部）によって記録用紙（被記録媒体）に記録させるＣＰＵ３４（制御部）とを備えた。
このようにハンドスキャナー２（画像読取装置）及び前記画像記録装置１を画像データ通信用コードＫ１で接続した状態で、画像記録装置１のコピー実行ボタン８（操作部）に対する押下操作を行えば、その操作に基づいて、前記通信用コードＫ１を介してハンドスキャナー２（画像読取装置）から送信された画像データを、画像記録装置１のインクジェットプリンタ部３７（記録部）が記録用紙（被記録媒体）に記録する。この場合、通常のコピー動作を行う操作と同様に、コピー実行ボタン８の押下操作であるので、操作手順は簡易化する。
【００２４】
また、本実施の形態の画像読取装置の発明によれば、コピー実行ボタン８（操作部）に対して所定操作が行われることによって、画像データをインクジェットプリンタ部３７（記録部）が記録用紙（被記録媒体）に記録することができる画像記録装置１に対し、通信用コードＫ１（画像データ通信用コード材）を介して接続可能なハンドスキャナー２（画像読取装置）において、原稿上の画像情報を読み取ることができる読取部４８と、前記ハンドスキャナー２（画像読取装置）及び前記画像記録装置１間を前記通信用コードＫ１（画像データ通信用コード材）で接続した状態で、前記画像記録装置１のコピー実行ボタン８（操作部）に対する押下操作に基づいて、前記読取部４８が読み取った画像データを前記通信用コードＫ１（画像データ通信用コード材）を介して送信するＣＰＵ４４（制御部）とを備える。
そして、ハンドスキャナー２（画像読取装置）及び前記画像記録装置１間を通信用コードＫ１（画像データ通信用コード材）で接続した状態で、画像記録装置１のコピー実行ボタン８（操作部）に対する押下操作を行えば、その操作に基づいて、ハンドスキャナー２（画像読取装置）のＣＰＵ４４（制御部）は、前記通信用コードＫ１（画像データ通信用コード材）を介して、画像データを画像記録装置１側に送信することができる。それにより、画像記録装置１は、そのインクジェットプリンタ部３７（記録部）で画像データを記録用紙（被記録媒体）に記録したり、ファクシミリ送信を実行することができる。
尚、本発明は前記実施形態に限定されるものではなく、本発明の要旨を逸脱しない範囲内で種々の改良、変形が可能であることは勿論である。例えば、画像読取装置は、ハンドスキャナー２に限定される訳ではない。また、操作部は、コピー実行ボタン８であるのが望ましいが、それ以外のキー、スイッチ等であっても良い。また、記録部は、例えば、サーマルヘッド等の、インクジェットプリンタ部３７以外の記録部であってもよいし、被記録媒体は通常の記録用紙以外であってもよい。
尚、上記処理では、コピー実行ボタン８の押下が検出された後、まず原稿の有無を検出することでコピー動作側を優先するように構成されているが、先にＳ４の通信用コードＫ１の接続状態を検出するようにして、ハンドスキャナー２側の画像データの記録を優先させても良い。
また、操作パネル３上の所定のキーの押下に基づいて、ハンドスキャナー２によって読み取られた画像データをＣＰＵ２６に送信させてＲＡＭ２８に記憶し、相手方のファクシミリ２９に対して送信するように構成することができる。
【００２５】
【発明の効果】
以上詳述した通り本発明に係る発明によれば、画像読取装置及び前記画像記録装置を画像データ通信用コード材で接続した状態で、画像記録装置のコピー実行ボタンに対して操作を行えば、その操作に基づいて、画像読取装置内の画像データを取り込むことができる。それにより、図５に示される従来の読取装置Ｍ０を用いる場合に必要であった煩雑な手間が解消し、操作手順は簡易になる。また、画像記録装置側の操作のみで、画像読取装置に記憶されている画像データを取り込み、当該画像データの記録を行うことができるため、使い勝手が向上する。
又、このような画像記録装置では、画像データ通信用コード材を介して取得した画像データを記録部が記録することができる他に、第１読取部が読み取った画像データを記録部が記録するコピー動作を実行することができるので、記録部はいずれの画像データも記録することができる。そして、第１検出部が原稿を検出した場合、セットされた原稿上の画像情報を前記第１読取部が読み取るとともに、前記記録部がその画像データを前記被記録媒体に記録させるモードを優先させる。従って、仮に、画像読取装置及び前記画像記録装置間を画像データ通信用コード材で接続した状態を放置しても、利用者が原稿をセットすれば、優先的に前記コピー動作を実行することができ、使い勝手が良くなる。
そして、装置上に原稿がセットされていなければ、画像読取装置からの画像データの取り込み及び記録が実行されるので、上記のコピー動作を実行させる場合とで操作部を共通化することができ、装置全体としての操作部のキーの数を減らすことができる。
【００２６】
【００２７】
【００２８】
【００２９】
【００３０】
【００３１】
【図面の簡単な説明】
【図１】  この発明を具体化した実施の形態の画像記録装置及び画像読取装置の斜視図である。
【図２】  その画像記録装置及び画像読取装置の制御系を示すブロック図である。
【図３】  その画像読取装置及びその操作パネルの一部を拡大して示す図である。
【図４】  その画像記録装置の動作を示すプログラムのフローチャートである。
【図５】  従来のハンドスキャナー及びその操作パネルの一部を拡大して示す図である。
【符号の説明】
１                  画像記録装置
１ａ                装置本体
２                  ハンドスキャナー
２ｂ                スイッチ
３                  操作パネル
４                  原稿載置部
６                  液晶ディスプレイ
７                  数値ボタン
８                  コピー実行ボタン
１１                入力端子部
２０                ファクシミリ部
２１                画像読取部
４８                読取部
２３                ファクシミリ制御回路
２６、３４、４４    ＣＰＵ
２７、３５、４５    ＲＯＭ
２８、３６、４６    ＲＡＭ
３０                プリンタ部
３１                プリンタ制御回路
３７                インクジェットプリンタ部
３８                原稿センサ
Ｋ１                通信用コード
【図１】
0003978836.tif 000002
【図２】
0003978836.tif 000003
【図３】
0003978836.tif 000004
【図４】
0003978836.tif 000005
【図５】
0003978836.tif 000006